(57)【要約】【課題】  ホルダの胴部の下部をもって回転させてホルダの調心を行いながら当て板、位置ガイド板をＸ、Ｙ軸方向に移動位置決めして第１吸引穴、当て板の第２吸引穴と位置ガイド板の装着穴とを合わせて、装着穴にレンズまたはフィルタをエア吸引で容易かつ簡単にセットする。【解決手段】  ベッド８１上にホルダ用コラム８３を立設せしめると共にホルダ用コラムの上部にレンズ９をホールドするホルダ５９の胴部を回転可能に把持する第１クランプ８７を設け、ホルダ用コラムに対向して上下方向へ移動可能なＺ軸ブロック１１１を備え、Ｚ軸ブロック上にＸ、Ｙ軸方向へ移動可能なＸ、Ｙ軸ブロック１１９、１２９を設け、Ｘ、Ｙ軸ブロックの上部に、ホルダの先端部の上面に当て板６５または位置ガイド板７１を載置せしめてＸ、Ｙ軸方向の移動位置決めする際の当て板または位置ガイド板を把持する第２クランプ１３７を設けてなることを特徴とする。【選択図】図１
2006145620.tif 000002
【特許請求の範囲】
【請求項１】
ベッド上にホルダ用コラムを立設せしめると共にこのホルダ用コラムの上部にレンズまたはフィルタをホールドするホルダの胴部を回転可能に把持する第１クランプを設け、前記ベッド上に前記ホルダ用コラムに対向して上下方向へ移動可能なＺ軸ブロックを備えると共にこのＺ軸ブロック上にＸ、Ｙ軸方向へ移動可能なＸ、Ｙ軸ブロックを設け、このＸ、Ｙ軸ブロックの上部に、前記ホルダの先端部の上面に当て板または位置ガイド板を載置せしめてＸ、Ｙ軸方向の移動位置決めする際の当て板または位置ガイド板を把持する第２クランプを設けてなることを特徴とするホルダ用調心装置。
【請求項２】
前記ホルダ用コラムの上部に、第１クランプでホルダの胴部を回転可能に把持すべく上下方向へＶ溝が形成されているＶブロックを設けてなることを特徴とする請求項１記載のホルダ用調心装置。
【発明の詳細な説明】
【技術分野】
【０００１】
この発明は、光ファイバとレンズまたはフィルタ付レンズとを融着接続する際にレンズまたはフィルタをホールドするのに使用されるホルダを調心するホルダ用調心装置に関する。
【背景技術】
【０００２】
従来、光機能素子の端面に光ファイバ端面をレーザ光により融着接続させる方法としては、例えば図１２に示されているように、径の異なる２つの光ファイバとしての例えば０．４ｍｍφからなる太径裸光ファイバ（以下、レンズという）２０１と例えば０．１２５ｍｍφからなる細径裸光ファイバ２０３とを接続する際に、このレンズ２０１と細径裸光ファイバ２０３の外周面に段差が生じないように端面同士を突合わせて配置することを条件とし、この突合せ部分に対して平行にレーザ光２０５を集光レンズ２０７を介して照射することで両者の外周面を同時に融着接続するものが知られている（例えば特許文献１参照）。
【特許文献１】特開平５−３４６５１７号公報
【発明の開示】
【発明が解決しようとする課題】
【０００３】
ところで、上述した従来のレンズ２０１と細径裸光ファイバ２０３をそれぞれ位置合わせして融着接続する場合には、従来から知られている細径裸光ファイバ２０３の光ファイバ素線を下ホルダと上ホルダからなるホルダ装置でホールドすることは可能であるが、レンズ２０１は長さが短いので、従来の下クランプと上クランプからなるクランプ装置でクランプすることは難しい。
【０００４】
そこで、従来のホルダまたはクランプを使わずに、レンズ２０１をクランプするのに、レンズホルダの先端に備えられた装着穴にエアの力で吸引することが考えられるが、単にレンズホルダの先端部に設けられた装着穴にレンズ２０１を装着してエア吸引でホールドした場合には、装着穴に装着されたレンズ２０１の中心とエア吸引の穴の中心とが必ず合っているとは限らず、ずれることがある。すなわち、心合わせが難しく、融着接続するのに種々なトラブルの原因となる問題が予想される。
【０００５】
例えば偏心により、レーザ光の当たる位置が変化するため、その結果、融着結果に影響することが懸念される。もし、偏心を残したままであると、レーザ光の当たる位置もそれに準じて動かす必要が発生する可能性があり、その駆動と制御を成立させることは、レーザ光が不可視であることもあり、非常に困難を極めるという問題がある。
【０００６】
この発明は上述の課題を解決するためになされたものである。
【課題を解決するための手段】
【０００７】
上記発明が解決しようとする課題を達成するためにこの発明のホルダ用調心装置は、ベッド上にホルダ用コラムを立設せしめると共にこのホルダ用コラムの上部にレンズまたはフィルタをホールドするホルダの胴部を回転可能に把持する第１クランプを設け、前記ベッド上に前記ホルダ用コラムに対向して上下方向へ移動可能なＺ軸ブロックを備えると共にこのＺ軸ブロック上にＸ、Ｙ軸方向へ移動可能なＸ、Ｙ軸ブロックを設け、このＸ、Ｙ軸ブロックの上部に、前記ホルダの先端部の上面に当て板または位置ガイド板を載置せしめてＸ、Ｙ軸方向の移動位置決めする際の当て板または位置ガイド板を把持する第２クランプを設けてなることを特徴とするものである。
【０００８】
この発明のホルダ用調心装置は、前記ホルダ用調心装置において、前記ホルダ用コラムの上部に、第１クランプでホルダの胴部を回転可能に把持すべく上下方向へＶ溝が形成されているＶブロックを設けてなることが好ましい。
【発明の効果】
【０００９】
以上のごとき課題を解決するための手段の説明から理解されるように、この発明によれば、ベッド上に立設されたホルダ用コラムの上部にレンズまたはフィルタをホールドするホルダの胴部が回転可能に把持する第１クランプが設けられているから、ホルダの胴部が第１クランプによりホルダ用コラムの上部にクランプされる。この状態で、ホルダの上面に当て板を重ねるように載置し、Ｚ軸ブロックを上下方向に移動せしめて第２クランプで前記当て板をクランプする。そして、この状態でホルダの胴部の下部をもって回転させてホルダの調心を行いながらホルダに対して当て板をＸ、Ｙ軸方向に移動位置決めしてホルダの第１吸引穴と当て板の第２吸引穴とを合わせて、当て板をホルダに固定する。
【００１０】
ついで、当て板の上面に位置ガイド板を重ねるように載置し、Ｚ軸ブロックを上方向に移動せしめて第２クランプで前記位置ガイド板をクランプする。そして、この状態でホルダの胴部の下部をもって回転させてホルダの調心を行いながら当て板に対して位置ガイド板をＸ、Ｙ軸方向に移動位置決めして当て板の第２吸引穴と位置ガイド板の装着穴とを合わせて、位置ガイド板を当て板を介してホルダに固定する。
【００１１】
その結果、位置ガイド板の装着穴にレンズまたはフィルタをエア吸引で容易かつ簡単にセットすることができる。
【発明を実施するための最良の形態】
【００１２】
以下、この発明の実施の形態について図面を参照して詳細に説明する。
【００１３】
図９を参照するに、異径光ファイバの融着接続装置１は、複数例えば２本の０．２５ｍｍの径からなる細径光ファイバ素線３の外周に被覆された被覆材を除去した例えば１２５μｍの径からなる細径裸光ファイバ５を位置決めセットする細径裸光ファイバ用位置決めセット装置７と例えば４００μｍの径からなる太径裸光ファイバ９（以下、レンズという）を位置決めセットするレンズ用位置決めセット装置１１を備えている。また、前記細径光ファイバ素線３の外周に被覆された被覆材を除去した細径裸光ファイバ５の端面と前記レンズ９の端面とを融着接続させるためにＣＯ２レ−ザ光を出力するＣＯ２レ−ザ光発振器１３が図９において例えば右上方の位置に備えられている。
【００１４】
そして、このＣＯ２レ−ザ光発振器１３から出力されたＣＯ２レ−ザ光はスプリッタ（ハーフミラー）１５で反射された後、レーザ加工ヘッド１７を構成している全反射ミラー１９で反射されると共に集光レンズ２１を経て１本の細径裸光ファイバ５の端面と前記レンズ９の端面とが融着接続される。また、ＣＯ２レ−ザ光はスプリッタ（ハーフミラー）１５で透過された後、全反射ミラー２３で反射され、さらに、レーザ加工ヘッド２５を構成している全反射ミラー２７で反射されると共に集光レンズ２９を経て他の１本の細径裸光ファイバ５の端面と前記レンズ９の端面とが融着接続されることになる。なお、図示省略しているが、細径裸光ファイバ５の端面と前記レンズ９の端面との上下の下方位置には融着接続状態を観察するための例えばＣＣＤカメラからなる撮像手段が設けられている。
【００１５】
前記細径裸光ファイバ用位置決めセット装置７およびレンズ用位置決めセット装置１１について図１０を用いてさらに詳細に説明する。図１０において、ベッド３１上には前記細径裸光ファイバ用位置決めセット装置７およびレンズ用位置決めセット装置１１が相対向して設けられている。前記細径裸光ファイバ用位置決めセット装置７としてはベッド３１上にＺ軸方向（図１０において左右方向）へ移動自在な第１Ｚ軸スライド台３３が設けられている。この第１Ｚ軸スライド台３３はすでに公知の図示省略の駆動手段によりＺ軸方向（図１０において左右方向）へ移動される。この第１Ｚ軸スライド台３３上には前記２本の細径光ファイバ素線３をホ−ルドする細径光ファイバ素線用ホルダ３５が設けられている。また、前記第１Ｚ軸スライド台３３上における前部（図１０において右部）には細径裸光ファイバ用調心機構部３７が設けられており、この細径裸光ファイバ用調心機構部３７上には前記細径光ファイバ素線３の外周に被覆された被覆材を除去した細径裸光ファイバ５をクランプするための細径裸光ファイバ用クランプ手段のうちのクランプ台３９が設けられている。
【００１６】
このクランプ台３９上には各細径裸光ファイバ５同士の間隔を一定に保持するガイド部材としての２本のガイドピン４１が設けられていると共に各細径裸光ファイバ５をクランプするクランパ４３が開閉自在に設けられている。前記細径裸光ファイバ用調心機構部３７はすでに公知であるが、Ｚ軸方向に対して左斜めに４５度傾いたＹ軸方向へ図示省略の駆動手段により移動自在に設けられている。
【００１７】
前記レンズ用位置決めセット装置１１としては前記ベッド３１上にＺ軸方向（図１０において左右方向）へ移動自在な第２Ｚ軸スライド台４５が設けられている。この第２Ｚ軸スライド台４５はすでに公知の図示省略の駆動手段によりＺ軸方向（図１０において左右方向）へ移動される。第２Ｚ軸スライド台４５上における前部（図１０において左部）にはレンズ用調心機構部４７が設けられており、このレンズ用調心機構部４７上には保護装置としての例えばレンズ保持装置４９をクランプするためのホルダ用クランプ手段のうちのクランプ台５１が設けられている。そして、レンズ保持装置４９をクランプするレンズ用クランパ５３が開閉自在に設けられている。前記レンズ用調心機構部４７はすでに公知であるが、Ｚ軸方向に対して右斜めに４５度傾いたＸ軸方向へ図示省略の駆動手段により移動自在に設けられている。
【００１８】
上記構成により、第１Ｚ軸スライド台３３と第２Ｚ軸スライド台４５とが互いにＺ軸方向へ移動されると共に細径裸光ファイバ用調心機構部３７がＹ軸方向へ移動され、また、レンズ用調心機構部４７がＸ軸方向へ移動されることによって、２本の細径裸光ファイバ５の端面とレンズ９の端面とが自動調心される。そして、２本の細径裸光ファイバ５の端面とレンズ９の端面とが自動調心された状態で、前記ＣＯ２レ−ザ光発振器１３から出力されたＣＯ２レ−ザ光がそれぞれスプリッタ１５、全反射ミラー１９を経て集光レンズ２１およびスプリッタ１５、全反射ミラー２３、全反射ミラー２７を経て集光レンズ２９から照射されることで、２本の細径裸光ファイバ５の端面とレンズ９の端面との融着接続を均一でかつ容易に行うことができる。
【００１９】
前記細径裸光ファイバ５の端面とレンズ９の端面とをＣＯ２レ−ザ光発振器１３を用いて融着接続する例で説明しているが、アーク放電による融着接続であっても構わない。
【００２０】
前記レンズ９を保持するレンズ保持装置４９としては、図１１に示されているように、例えば外径が３ｍｍφからなると共に中心部にレンズ９を吸引するための第１吸引用穴５５を備えた例えば非磁性のステンレスからなるホルダとしての例えばレンズホルダ５７が図１１において左右方向へ延伸されて設けられている。このレンズホルダ５７の後端部には例えば外径が４．５ｍｍφからなるジョイント５９が螺合されていると共にこのジョイント５９の後端部には例えば外径が４．０ｍｍφからなる配管６１の一端が接続されている。
【００２１】
前記レンズ５７の先端部５７Ｓは、図５に示されているように、例えば外径ｄ３が８ｍｍφからなっていると共に先端部５７Ｓの外周上には適宜な間隔例えば９０度間隔で複数例えば相対応した位置にそれぞれ４個のタップ６３が設けられている。
【００２２】
前記レンズホルダ５７の先端部５７Ｓの先端には図５も併せて参照するに、例えば外径ｄ２が８．４ｍｍφからなっている当て板としての例えばレンズ当て板６５が設けられている。このレンズ光当て板６５には前記４個のタップ６３に対応した位置に第１穴６７が設けられている。しかも、レンズ当て板６５の中心部には前記第１吸引用穴５５に連通する例えば０．３２ｍｍφからなる第２吸引用穴６９が設けられている。すなわち、第２吸引用穴６９の穴径はレンズホルダ５７の先端部５７Ｓの第１吸引用穴５５の穴径に対して８０％程度小さくなっていることが必要である。これは、レンズ９の光が通る部分になるべくダメージを与えないようにするためである。特に、レンズ９の先端に例えば反射防止膜（無反射コーティング、ＡＲコート（ＡｎｔｉＲｅｆｌｅｃｔｉｏｎＣｏａｔｉｎｇ））などのコーティングを施すことで、この第２吸引用穴６９の穴径をコントロールしている。
【００２３】
前記レンズ当て板６５の先端には図５も併せて参照するに、例えば外径ｄ１が８．６ｍｍφからなっている位置ガイド板としての例えばレンズ位置ガイド板７１が設けられている。このレンズ位置ガイド板７１には前記第１穴６７に対応した位置に第２穴７３が設けられていると共に前記第１穴６７に対応した位置に調整用の溝としての切り欠き溝７５が設けられている。この切り欠き溝７５の代わりに大きなバカ穴であっても構わない。しかも、レンズ位置ガイド板７１の中心部には前記第２吸引用穴６９に連通する例えば０．４１ｍｍφからなり、前記レンズ９を装着する装着用穴７７が設けられている。
【００２４】
図１、図２、図３および図４を参照するに、ホルダ用調心装置としての例えばレンズホルダ用調心装置７９は、例えば矩形形状のベッド８１を備えており、このベッド８１上の図１、図２および図３の右側にはホルダ用コラムとしての例えばレンズホルダ用コラム８３が立設されていて複数のボルト８５で前記ベッド８１に固定されている。
【００２５】
このレンズホルダ用コラム８３の上部には図６（Ａ）、（Ｂ）を併せて参照するに、レンズホルダ５７の胴部５７Ｄ（図５参照）を回転可能に把持する第１クランプ８７が設けられている。すなわち、レンズホルダ用コラム８３の上部における図６（Ａ）、（Ｂ）において右側の前部にはブロック８９が複数のボルト９１で取り付けられている。そして、前記ブロック８９の前側には左右方向へ貫通して溝９３が形成されている。この溝９３には左右方向へ延伸されたクランプレバー９５が設けられ、このクランプレバー９５における左右方向の中央部からやや左側部がピン９７により前記ブロック８９に回動可能に枢支されている。
【００２６】
前記ブロック８９の右側部とクランプレバー９５の右側部との間には、スプリング９９が介在されており、このスプリング９９の付勢力でクランプレバー９５が常時ピン９７を支点として時計方向回りに回動されるように付勢されている。
【００２７】
前記レンズホルダ用コラム８３の上部における図６（Ａ）、（Ｂ）において左側の前部にはＶ溝１０１を備えたＶブロック１０３が複数のボルト１０５で取り付けられている。また、前記ブロック８９の左側と前記Ｖブロック１０３との間にはストッパ用ボルト１０７が設けられている。
【００２８】
上記構成により、クランプレバー９５の右端を押すと、図６（Ａ）に示されているように、スプリング９９が圧縮されてクランプレバー９５がピン９７を支点として反時計方向回りに回動し、Ｖブロック１０３とクランプレバー９５との間に隙間が生じる。この隙間にレンズホルダ５７を入れて胴部５７Ｄを前記Ｖブロック１０３のＶ溝１０１にあてがい、クランプレバー９５の右端を離すと、図６（Ｂ）に示されているように、クランプレバー９５がピン９７を支点としてスプリング９９の付勢力で時計方向回りに回動し、レンズホルダ５７の胴部５７Ｄが前記Ｖブロック１０３のＶ溝１０１の２点とクランプレバー９５の１点との合計３点で支持されて回動可能にクランプされることになる。前記ストッパ用ボルト１０７は、レンズホルダ５７が前記Ｖ溝１０１とクランプレバー９５との間に装着されていないとき、スプリング９９によりクランプレバー９５がＶ溝１０１に接触あるいはガツンと衝撃を加えて壊さないようにストッパの役目を果たしているものである。
【００２９】
再び、図１、図２、図３および図４を参照するに、前記ベッド８１上の図１、図２および図３の左側には固定ブロック１０９が取り付けられている。この固定ブロック１０９上にはＺ軸ブロック１１１が設けられている。このＺ軸ブロック１１１は前記固定ブロック１０９に設けられているＺ軸調整つまみ１１３によりＺ軸方向（上下方向）へ移動位置決めされるようになっている。また、前記Ｚ軸ブロック１１１に設けられているＺ軸ロックつまみ１１５によりＺ軸ブロック１１１を移動位置決めした位置で固定せしめることができる。
【００３０】
前記Ｚ軸ブロック１１１上には複数のＹ軸ガイドレール１１７がＹ軸方向（図１、図３において紙面に対して直交した方向、図２において上下方向）へ敷設されており、このガイドレール１１７にはガイドを介してＹ軸ブロック１１９がＹ軸方向へ移動位置決めされるように設けられている。
【００３１】
前記Ｚ軸ブロック１１１には図４において左側にブラケット１２１が取り付けられており、このブラケット１２１に設けられたＹ軸調整つまみ１２３によりガイドレール１１７に沿ってＹ軸方向へ移動位置決めされる。また、Ｙ軸ブロック１１９が設けられているＹ軸ロックつまみ１２５によりＹ軸ブロック１１９を移動位置決めした位置で固定せしめることができる。
【００３２】
前記Ｙ軸ブロック１１９上には複数のＸ軸ガイドレール１２７がＸ軸方向（図１、図２においてにおいて左右方向）へ敷設されており、このＸ軸ガイドレール１２７にはガイドを介してＸ軸ブロック１２９が設けられている。
【００３３】
前記Ｙ軸ブロック１１９には図２、図３において左側にブラケット１３１が取り付けられており、このブラケット１３１に設けられたＸ軸調整つまみ１３３によりＸ軸ガイドレール１２７に沿って前記Ｘ軸ブロック１２９がＸ軸方向へ移動位置決めされる。また、Ｘ軸ブロック１２９に設けられているＸ軸ロックつまみ１３５によりＸ軸ブロック１２９を移動位置決めした位置で固定せしめることができる。
【００３４】
前記Ｘ軸ブロック１２９上には第２クランプ１３７が設けられている。すなわち、Ｘ軸ブロック１２９上にはクランププレート１３９が複数のボルト１４１で取り付けられている。より詳細には図７、図８に示されているように、クランププレート１３９の形状としては、図７、図８において右側部が傾斜部１４３とこの傾斜部１４３につながった垂直の直線部１４５とこの垂直の直線部１４５につながった水平の直線部１４７とこの水平の直線部１４７につながった垂直の直線部１４９とで形成されている。すなわち、直線部１４５に対して直線部１４７が直角につながっていて、しかも、直線部１４５と直線部１４７とで切り欠き溝１５１が形成されている。
【００３５】
前記傾斜部１４３にはこの傾斜方向に沿って傾斜溝１５３が貫通して形成されている。この傾斜溝１５３の中央からやや上方部にピン１５５でクランプレバー１５７が枢支されている。しかも、前記傾斜溝１５３の下部とクランプレバー１５７の下部との間にはスブリング１５９が介在されており、このスブリング１５９の付勢力によりクランプレバー１５７の先端部１５７Ｓがピン１５５を支点として常時反時計方向回りに回動すべく付勢されている。前記ピン１５５より上方側にはストッパ用ボルト１６１が設けられている。
【００３６】
上記構成により、前記レンズホルダ５７の先端部５７Ｓの上面にレンズ当て板６５またはレンズ位置ガイド板７１を載置し、位置決めする際に、クランプレバー１５７の下端を押すと、図７、図８に示されているように、スプリング１５９が圧縮されてクランプレバー１５７がピン１５５を支点として時計方向回りに回動し、クランププレート１３９の切り欠き溝１５１とクランプレバー１５７との間に隙間が生じる。この隙間にレンズ当て板６５またはレンズ位置ガイド板７１が入り直線部１４５、直線部１４７にそれぞれ点接触すべくあてがわれ、クランプレバー１５７の下端を離すと、クランプレバー１５７がピン１５５を支点としてスプリング１５９の付勢力で反時計方向回りに回動し、レンズ当て板６５またはレンズ位置ガイド板７１が前記直線部１４５、直線部１４７とクランプレバー１５７との３点で支持されてクランプされることになる。前記ストッパ用ボルト１０７は、レンズ当て板６５またはレンズ位置ガイド板７１が前記直線部１４５、直線部１４７とクランプレバー１５７との間に装着されていないとき、スプリング１５９によりクランプレバー１５７が前記直線部１４５、直線部１４７に接触あるいはガツンと衝撃を加えて壊さないようにストッパの役目を果たしているものである。
【００３７】
つぎに、レンズホルダ調心装置７９を用いて、レンズホルダ５７の先端５７Ｓにレンズ当て板６５、レンズ位置ガイド板７１をそれぞれ重ね合わせて取り付ける作用を説明すると、レンズホルダ５７における胴部５７Ｄの下方を作業者が片方の手に持つと共に他方の手でクランプレバー９５の右端を押すと、図６（Ａ）に示されているように、スプリング９９が圧縮されてクランプレバー９５がピン９７を支点として反時計方向回りに回動し、Ｖブロック１０３とクランプレバー９５との間に隙間が生じる。この隙間に片方の手で持っているレンズホルダ５７を入れて胴部５７Ｄを前記Ｖブロック１０３のＶ溝１０１にあてがい、クランプレバー９５の右端を離すと、図６（Ｂ）に示されているように、クランプレバー９５がピン９７を支点としてスプリング９９の付勢力で時計方向回りに回動し、レンズホルダ５７の胴部５７Ｄが前記Ｖブロック１０３のＶ溝１０１とクランプレバー９５との３点で支持されて回動可能にクランプされることになる。ついで、レンズホルダ５７の胴部５７Ｄがクランプされながら回動される。さらに、レンズホルダ５７における胴部５７Ｄを回動させることにより、レンズホルダ５７が自動調心されて垂直状態に保持される。
【００３８】
この状態で、レンズホルダ５７の先端部５７Ｓの上方位置に、Ｚ軸ブロック１１１をＺ軸調整つまみ１１３によりＺ軸方向（上下方向）の上方向に移動させてクランププレート１３９とクランプレバー１５７の高さを位置決めせしめてＺ軸ロックつまみ１１５でロックして固定する。Ｙ軸ブロック１１９およびＸ軸ブロック１２９をそれぞれＹ軸調整つまみ１２３、Ｘ軸調整つまみ１３３によりＹ軸、Ｘ軸方向へ移動してクランププレート１３９の切り欠き溝１５１がレンズホルダ５７の先端部５７Ｓの上方位置に位置決めしてＹ軸ロックつまみ１２５、Ｘ軸ロックつまみ１３５でロックされる。
【００３９】
レンズホルダ５７の先端部５７Ｓに図５に示した前記光ファイバ当て板６７を重ね合わせる。その際、クランプレバー１５７の下端を押すと、図７に示されているように、スプリング１５９が圧縮されてクランプレバー１５７がピン１５５を支点として時計方向回りに回動し、クランププレート１３９の切り欠き溝１５１とクランプレバー１５７との間に隙間が生じる。この隙間にレンズ当て板６５が入り直線部１４５、直線部１４７にそれぞれ点接触してあてがわれ、クランプレバー１５７の下端を離すと、クランプレバー１５７がピン１５５を支点としてスプリング１５９の付勢力で反時計方向回りに回動し、レンズ当て板６５が前記直線部１４５、直線部１４７とクランプレバー１５７との３点で支持されて回動可能にクランプされることになる。
【００４０】
この状態で、前記レンズホルダ５７をＸ、Ｙ方向に調整して第１吸引用穴５５の中心と第２吸引用穴６９の中心を例えば顕微鏡やＣＣＤカメラなどで合わせてた状態にすると共にタップ６３と第１穴６７とを位置合わせする。この状態で図５および図７に示したように複数のねじ１６３を第１穴６７に通してタップ６３に固定するすることでレンズホルダ５７の先端部５７Ｓに前記レンズ当て板６５が調心されて固定される。
【００４１】
さらに、レンズ当て板６５のねじ１６３に図５に示したレンズ位置ガイド板７１の切り欠き溝７５が装着されて重ね合わせられる。その際、Ｚ軸ブロック１１１をＺ軸調整つまみ１１３によりＺ軸方向（上下方向）の上方向に移動してクランププレート１３９とクランプレバー１５７の高さを位置決めせしめてＺ軸ロックつまみ１１５でロックして固定する。Ｙ軸ブロック１１９およびＸ軸ブロック１２９をそれぞれＹ軸調整つまみ１２３、Ｘ軸調整つまみ１３３によりＹ軸、Ｘ軸方向へ移動してクランププレート１３９の切り欠き溝１５１がレンズホルダ５７の先端部５７Ｓの上方位置に位置決めしてＹ軸ロックつまみ１２５、Ｘ軸ロックつまみ１３５でロックされる。
【００４２】
レンズ位置ガイド板７１の外周を、上述の要領でクランププレート１３９とクランプレバー１５７でクランプし、前記レンズホルダ５７を回動させながらレンズ位置ガイド板７１をＸ、Ｙ方向に調整して第２吸引用穴６９の中心と装着用穴７７の中心を例えば顕微鏡やＣＣＤカメラなどで合わせてた状態にすると共にタップ６３と第２穴７３とを位置合わせする。この状態で複数のねじ１６５を第１穴６７に通してタップ６３に固定するすることでレンズ当て板６７に前記レンズ位置ガイド板７１が調心されて固定される。
【００４３】
したがって、レンズホルダ５７の先端部５７Ｓとレンズ当て板６７と前記レンズ位置ガイド板７１の３者が正確かつ容易に調心することができる。しかも、レンズホルダ５７に対してレンズ当て板６７を調心する際、レンズ当て板６７の外径ｄ２がレンズホルダ５７の外径ｄ３よりやや大きいので、レンズ当て板６７を第２クランプ１３７で容易に保持することができる。同様に、レンズ光当て板６７に対してレンズ位置ガイド板７１を調心する際、レンズ位置ガイド板７３の外径ｄ１がレンズ当て板６７の外径ｄ２よりやや大きいので、レンズ位置ガイド板７１を第２クランプ１３７で容易に保持することができる。
【００４４】
その結果、レンズ位置ガイド板７１の装着穴７７にレンズ９をエア吸引で容易かつ簡単にセットすることができる。
【００４５】
上述した例はレンズ位置ガイド板７１の装着穴７７にレンズ９をエア吸引するための例で示したが、レンズ９の代わりにフイルタをレンズ位置ガイド板７１と同様の位置ガイド板の装着穴７７に装着して吸引させることで対応することが可能である。この場合には装着穴７７はフイルタの形状に合わせた矩形としての例えば正方形となる。
【図面の簡単な説明】
【００４６】
【図１】この発明のレンズホルダ用調心装置の斜視図である。
【図２】図１における平面図である。
【図３】図１における正面図である。
【図４】図１における右側面図である。
【図５】レンズホルダ、レンズ当て板、レンズ位置ガイド板およびＶブロックの関係を示した斜視図である。
【図６】（Ａ）、（Ｂ）はレンズホルダ用コラムの上部に設けた第１クランプの平面図で、レンズホルダのクランプ、アンクランプ状態を示した図である。
【図７】Ｘ軸ブロックの上面に設けた第２クランプの平面図で、レンズ当て板をクランプした状態を示した図である。
【図８】Ｘ軸ブロックの上面に設けた第２クランプの平面図で、レンズ位置ガイド板をクランプした状態を示した図である。
【図９】異径光ファイバの融着接続装置の平面図である。
【図１０】異径光ファイバの融着接続装置において細径裸光ファイバ用位置決めセット装置における２本の細径光ファイバ素線、細径裸光ファイバと、前記太径裸光ファイバ用位置決めセット装置における太径裸光ファイバとの位置決め状態を示した正面図である。
【図１１】融着接続装置におけるレンズ保持装置の拡大正面断面図である。
【図１２】従来の異径光ファイバの融着接続状態を示した図である。
【符号の説明】
【００４７】
１  融着接続装置
９  レンズ
１１  レンズ用位置決めセット装置
５７  レンズホルダ（ホルダ）
６５  レンズ当て板（当て板）
７１  レンズ位置ガイド板（位置ガイド板）
７９  レンズホルダ用調心装置（ホルダ用調心装置）
８１  ベッド
８３  レンズホルダ用コラム（ホルダ用コラム）
８７  第１クランプ
８９  ブロック
９３  溝
９５  クランプレバー
９７  ピン
９９  スプリング
１０１  Ｖ溝
１０３  Ｖブロック
１０７  ストッパ用ボルト
１０９  固定ブロック
１１１  Ｚ軸ブロック
１１３  Ｚ軸調整つまみ
１１５  Ｚ軸ロックつまみ  
１１９  Ｙ軸ブロック
１２３  Ｙ軸調整つまみ
１２５  Ｙ軸ロックつまみ
１２９  Ｘ軸ブロック
１３３  Ｘ軸調整つまみ
１３５  Ｘ軸ロックつまみ
１３７  第２クランプ
１４３  傾斜部
１４５  直線部
１４７  直線部
１５１  切り欠き溝
１５３  傾斜溝
１５５  ピン
１５７  グンプレバー
１５９  スプリング
１６１  ストッパ用ボルト
１６３  ねじ
１６５  ねじ
【図１】
2006145620.tif 000003
【図２】
2006145620.tif 000004
【図３】
2006145620.tif 000005
【図４】
2006145620.tif 000006
【図５】
2006145620.tif 000007
【図６】
2006145620.tif 000008
【図７】
2006145620.tif 000009
【図８】
2006145620.tif 000010
【図９】
2006145620.tif 000011
【図１０】
2006145620.tif 000012
【図１１】
2006145620.tif 000013
【図１２】
2006145620.tif 000014